(57)【要約】【課題】折りたたみ型の携帯電話機を収納して使用することができ、操作性に優れた携帯電話機用防水ケースを提供すること。【解決手段】携帯電話機用防水ケース１は、下部ボディと上部ボディとが開閉可能に連結された折りたたみ型の携帯電話機を収納するものであり、携帯電話機の下部ボディを収納する下部ケース２と、下部ケース２に設けられ、下部ボディを保持する下部ケース側保持手段５と、下部ケース２に対しヒンジ構造部４を介して回動可能に連結され、携帯電話機の上部ボディを収納する上部ケース３と、上部ケース３に設けられ、上部ボディを保持する上部ケース側保持手段としての係止部６と、液密性を確保するシール部材７とを備えている。携帯電話機用防水ケース１の下部ケース２と上部ケース３とを回動させて開閉すると、これに伴って収納した携帯電話機が開閉する。【選択図】図１
2004016360.tif 000002
【特許請求の範囲】
【請求項１】
下部ボディと上部ボディとが開閉可能に連結された折りたたみ型の携帯電話機を収納する携帯電話機用防水ケースであって、
前記下部ボディの少なくとも一部を収納する下部ケースと、
前記下部ケースに設けられ、前記下部ボディを保持する下部ケース側保持手段と、
前記下部ケースに対し回動可能に連結され、前記上部ボディの少なくとも一部を収納する上部ケースと、
前記上部ケースに設けられ、前記上部ボディを保持する上部ケース側保持手段と、
前記下部ケースと前記上部ケースとが閉じたときの液密性を確保する防水手段とを備え、
前記下部ケース側保持手段が前記下部ボディを保持し、前記上部ケース側保持手段が前記上部ボディを保持することにより、前記下部ケースと前記上部ケースとを回動させて開閉するのに伴って前記携帯電話機が開閉するよう構成されていることを特徴とする携帯電話機用防水ケース。
【請求項２】
前記防水手段は、前記下部ケースと前記上部ケースとが閉じたときの両者の接合部を液密に封止するシール部を有する請求項１に記載の携帯電話機用防水ケース。
【請求項３】
前記下部ケース側保持手段および前記上部側保持手段は、大きさが異なる携帯電話機に対応してこれを保持可能である請求項１または２に記載の携帯電話機用防水ケース。
【請求項４】
前記下部ケース側保持手段は、前記下部ボディの縁部に係合する係合部と、前記係合部を内側へ向けて付勢する付勢手段とを有する請求項１ないし３のいずれかに記載の携帯電話機用防水ケース。
【請求項５】
前記上部ケース側保持手段は、前記上部ボディの正面に係止する係止部を有する請求項１ないし４のいずれかに記載の携帯電話機用防水ケース。
【請求項６】
前記係止部は、可撓性を有する薄板状をなしている請求項５に記載の携帯電話機用防水ケース。
【請求項７】
収納した携帯電話機のバイブレータの振動により音を発生する音発生手段を有する請求項１ないし６のいずれかに記載の携帯電話機用防水ケース。
【請求項８】
前記音発生手段により発生した音を反響させる反響手段を有する請求項７に記載の携帯電話機用防水ケース。
【請求項９】
前記音発生手段付近のケース外面が凹面になっている請求項７または８に記載の携帯電話機用防水ケース。
【請求項１０】
外壁の一部に、収納した携帯電話機のバイブレータの振動が伝達されて振動する振動部を有する請求項１ないし９のいずれかに記載の携帯電話機用防水ケース。
【請求項１１】
収納した携帯電話機のバイブレータの振動を前記振動部に集中して伝達する振動伝達手段を有する請求項１０に記載の携帯電話機用防水ケース。
【請求項１２】
前記振動部は、前記下部ケースおよび／または前記上部ケースの一部に形成された薄肉部で構成されている請求項１０または１１に記載の携帯電話機用防水ケース。
【請求項１３】
前記振動部の振動により音を発生する請求項１０ないし１２のいずれかに記載の携帯電話機用防水ケース。
【請求項１４】
揺動または振動可能に設置された音発生部材を有し、前記音発生部材は、収納した携帯電話機のバイブレータの振動により揺動または振動して他の部位に繰り返し衝突することにより音を発生する請求項１ないし１３のいずれかに記載の携帯電話機用防水ケース。
【請求項１５】
平面上に載置したときに接地し得る接地部の一部が該接地部の他の部分と同一平面上に位置しないよう構成され、平面上に載置したときに揺動可能である請求項１ないし１４のいずれかに記載の携帯電話機用防水ケース。
【請求項１６】
前記下部ケースと前記上部ケースとを閉じた状態で固定する固定手段を有する請求項１ないし１５のいずれかに記載の携帯電話機用防水ケース。
【請求項１７】
前記固定手段は、前記下部ケースと前記上部ケースとの連結部の反対側に設けられている請求項１６に記載の携帯電話機用防水ケース。
【請求項１８】
前記下部ケースおよび／または前記上部ケースは、収納した携帯電話機の少なくとも一部を視認できる視認性を有する請求項１ないし１７のいずれかに記載の携帯電話機用防水ケース。
【発明の詳細な説明】
【０００１】
【発明の属する技術分野】
本発明は、携帯電話機用防水ケースに関する。
【０００２】
【従来の技術】
携帯電話（ＰＨＳを含む）が広く普及している。携帯電話機は、水に弱いので、水に濡れるおそれがある環境下（風呂、海、川、プール、雨天時等）で使用する場合に、携帯電話機を収納して防水する防水ケースが知られている。携帯電話機用の防水ケースとしては、厚手のビニールのような素材からなるソフトケース型のものと、比較的硬質のプラスチックのような材料で構成されたハードケース型のものとがあるが、ケースの耐久性や、落下時などの衝撃吸収性等の観点からは、ハードケース型のものであるのが好ましい。
【０００３】
ところで、携帯電話機は、近年、ストレート型ボディのものに代わって、ボディが二つに折りたたみ可能な折りたたみ型（二つ折り型）のものが主流になってきている。
【０００４】
しかしながら、従来、折りたたみ型の携帯電話機に対応したハードケース型の防水ケースは、無かった。
【０００５】
【発明が解決しようとする課題】
本発明の目的は、折りたたみ型の携帯電話機を収納して使用することができ、操作性に優れた携帯電話機用防水ケースを提供することにある。
【０００６】
【課題を解決するための手段】
このような目的は、下記（１）〜（１８）の本発明により達成される。
【０００７】
（１）　下部ボディと上部ボディとが開閉可能に連結された折りたたみ型の携帯電話機を収納する携帯電話機用防水ケースであって、
前記下部ボディの少なくとも一部を収納する下部ケースと、
前記下部ケースに設けられ、前記下部ボディを保持する下部ケース側保持手段と、
前記下部ケースに対し回動可能に連結され、前記上部ボディの少なくとも一部を収納する上部ケースと、
前記上部ケースに設けられ、前記上部ボディを保持する上部ケース側保持手段と、
前記下部ケースと前記上部ケースとが閉じたときの液密性を確保する防水手段とを備え、
前記下部ケース側保持手段が前記下部ボディを保持し、前記上部ケース側保持手段が前記上部ボディを保持することにより、前記下部ケースと前記上部ケースとを回動させて開閉するのに伴って前記携帯電話機が開閉するよう構成されていることを特徴とする携帯電話機用防水ケース。
【０００８】
（２）　前記防水手段は、前記下部ケースと前記上部ケースとが閉じたときの両者の接合部を液密に封止するシール部を有する上記（１）に記載の携帯電話機用防水ケース。
【０００９】
（３）　前記下部ケース側保持手段および前記上部側保持手段は、大きさが異なる携帯電話機に対応してこれを保持可能である上記（１）または（２）に記載の携帯電話機用防水ケース。
【００１０】
（４）　前記下部ケース側保持手段は、前記下部ボディの縁部に係合する係合部と、前記係合部を内側へ向けて付勢する付勢手段とを有する上記（１）ないし（３）のいずれかに記載の携帯電話機用防水ケース。
【００１１】
（５）　前記上部ケース側保持手段は、前記上部ボディの正面に係止する係止部を有する上記（１）ないし（４）のいずれかに記載の携帯電話機用防水ケース。
【００１２】
（６）　前記係止部は、可撓性を有する薄板状をなしている上記（５）に記載の携帯電話機用防水ケース。
【００１３】
（７）　収納した携帯電話機のバイブレータの振動により音を発生する音発生手段を有する上記（１）ないし（６）のいずれかに記載の携帯電話機用防水ケース。
【００１４】
（８）　前記音発生手段により発生した音を反響させる反響手段を有する上記（７）に記載の携帯電話機用防水ケース。
【００１５】
（９）　前記音発生手段付近のケース外面が凹面になっている上記（７）または（８）に記載の携帯電話機用防水ケース。
【００１６】
（１０）　外壁の一部に、収納した携帯電話機のバイブレータの振動が伝達されて振動する振動部を有する上記（１）ないし（９）のいずれかに記載の携帯電話機用防水ケース。
【００１７】
（１１）　収納した携帯電話機のバイブレータの振動を前記振動部に集中して伝達する振動伝達手段を有する上記（１０）に記載の携帯電話機用防水ケース。
【００１８】
（１２）　前記振動部は、前記下部ケースおよび／または前記上部ケースの一部に形成された薄肉部で構成されている上記（１０）または（１１）に記載の携帯電話機用防水ケース。
【００１９】
（１３）　前記振動部の振動により音を発生する上記（１０）ないし（１２）のいずれかに記載の携帯電話機用防水ケース。
【００２０】
（１４）　揺動または振動可能に設置された音発生部材を有し、前記音発生部材は、収納した携帯電話機のバイブレータの振動により揺動または振動して他の部位に繰り返し衝突することにより音を発生する上記（１）ないし（１３）のいずれかに記載の携帯電話機用防水ケース。
【００２１】
（１５）　平面上に載置したときに接地し得る接地部の一部が該接地部の他の部分と同一平面上に位置しないよう構成され、平面上に載置したときに揺動可能である上記（１）ないし（１４）のいずれかに記載の携帯電話機用防水ケース。
【００２２】
（１６）　前記下部ケースと前記上部ケースとを閉じた状態で固定する固定手段を有する上記（１）ないし（１５）のいずれかに記載の携帯電話機用防水ケース。
【００２３】
（１７）　前記固定手段は、前記下部ケースと前記上部ケースとの連結部の反対側に設けられている上記（１６）に記載の携帯電話機用防水ケース。
【００２４】
（１８）　前記下部ケースおよび／または前記上部ケースは、収納した携帯電話機の少なくとも一部を視認できる視認性を有する上記（１）ないし（１７）のいずれかに記載の携帯電話機用防水ケース。
【００２５】
【発明の実施の形態】
以下、本発明の携帯電話機用防水ケースを添付図面に示す好適な実施形態に基づいて詳細に説明する。
【００２６】
図１は、本発明の携帯電話機用防水ケース（以下、単に「防水ケース」と言う）の実施形態（開いた状態）を示す斜視図、図２は、図１に示す防水ケースの断面側面図（携帯電話機を収納して閉じた状態）、図３は、図２中の矢印ＩＩＩ方向から見た透視図である。なお、以下では、説明の都合上、図２中の上側を「上」、下側を「下」と言う。また、透視図である図３中では、分かり易くするため、通常は破線で示されるものの一部を実線で示す。
【００２７】
これらの図に示す本発明の防水ケース１は、折りたたみ型の携帯電話機１００を収納するものである。なお、本明細書中で携帯電話機とは、通信方式の如何によらず、電話機能を有する携帯可能な端末を意味し、ＰＨＳ端末なども含む。
【００２８】
まず、携帯電話機１００について簡単に説明する。図２に示すように、携帯電話機１００は、下部ボディ１１０と上部ボディ１２０とがヒンジ構造部１３０を介して回動可能に連結された構成になっており、開閉（折りたたみ）可能になっている。下部ボディ１１０には、送話口（マイク）や各種の押しボタン等の操作部などが設けられており、上部ボディ１２０には、受話口（レシーバー）や液晶ディスプレイ等の表示部などが設けられている。この携帯電話機１００は、通話する際や操作部を操作する際には、下部ボディ１１０と上部ボディ１２０とを開いた状態とする。そして、携帯電話機１００は、持ち歩くときには、下部ボディ１１０と上部ボディ１２０とを閉じる（折りたたむ）ことによりコンパクトになる。
【００２９】
このような携帯電話機１００を収納する防水ケース１は、下部ボディ１１０を収納する下部ケース２と、上部ボディ１２０を収納する上部ケース３とを有している。
【００３０】
図１および図２に示すように、下部ケース２は、比較的硬質な材料で構成された（一定の形状を有する）ものであり、底板２１と、この底板２１の周縁部に形成されたほぼ長方形を描く周壁部２２とを有している。この下部ケース２は、底板２１と周壁部２２とで囲まれて形成される浅い凹部内に下部ボディ１１０を収納する。
【００３１】
上部ケース３は、比較的硬質な材料で構成された（一定の形状を有する）ものであり、天板３１と、この天板３１の周縁部に形成されたほぼ長方形を描く周壁部３２とを有している。この上部ケース３は、天板３１と周壁部３２とで囲まれて形成される浅い凹部内に上部ボディ１２０を収納する。
【００３２】
下部ケース２と上部ケース３とは、それらの長手方向の一端側において、ヒンジ構造部（連結部）４により互いに回動可能に連結されている。これにより、防水ケース１は、下部ケース２と上部ケース３とを回動して開閉可能になっており、図１に示す開いた状態と、図２に示す閉じた状態とになる。周壁部２２の縁部と、周壁部３２の縁部とは、互いに対応した形状になっており、防水ケース１を閉じた状態では、後述するシール部材７を介して両者が接合する。
【００３３】
なお、下部ケース２と上部ケース３との連結部は、ヒンジ構造部４に限らず、例えば可撓性を有する帯状の薄肉部で構成され、この薄肉部が折り曲げられることにより両者が回動可能に連結されているようなものであってもよい。
【００３４】
携帯電話機１００は、そのヒンジ構造部１３０を防水ケース１のヒンジ構造部４側に向けた状態で収納される。
【００３５】
本実施形態では、図２に示す状態で、下部ボディ１１０の全体が下部ケース２内に位置し、上部ボディ１２０の全体が上部ケース３内に位置しているが、下部ケース２は、下部ボディ１１０の少なくとも一部を収納するものであればよく、上部ケース３は、上部ボディ１２０の少なくとも一部を収納するものであればよい。すなわち、図２に示す状態で、上部ボディ１２０の一部が下部ケース２内に位置してもよく、また、下部ボディ１１０の一部が上部ケース３内に位置してもよい。
【００３６】
下部ケース２と、上部ケース３との構成材料は、それぞれ、特に限定されないが、樹脂材料（プラスチック）で成形されたものであるのが好ましい。樹脂材料で成形したものとすることにより、軽量化が図れるとともに、比較的複雑な形状の場合でも製造が容易で、安価に製造することができる。また、樹脂材料を用いた場合には、より優れた衝撃吸収性が得られ、防水ケース１を落下させた際などに、携帯電話機１００をより確実に保護することができる。
【００３７】
下部ケース２、上部ケース３を構成する樹脂材料としては、特に限定されないが、例えば、ポリエチレン、ポリプロピレン、ポリブタジエン、エチレン−酢酸ビニル共重合体等のポリオレフィン、ポリウレタン、ポリスチレン、ポリメチルメタクリレート、ポリカーボネート、ポリアミド、ポリエチレンテレフタレート、ポリブチレンテレフタレート等のポリエステル、アクリル系樹脂、ＡＢＳ樹脂、ＡＳ樹脂、ポリアセタール、ポリフェニレンサルファイド、ポリエーテルエーテルケトン、ポリテトラフルオロエチレン等のフッ素系樹脂、スチレン系、ポリオレフィン系、ポリウレタン系、ポリエステル系、ポリアミド系等の各種熱可塑性エラストマー、さらには、これらのうちの２種以上を組み合わせたもの（ポリマーアロイ、ポリマーブレンド、積層体）が挙げられる。
【００３８】
また、下部ケース２と、上部ケース３とは、収納した携帯電話機１００の少なくとも一部を視認できる視認性を有するもの、すなわち、その少なくとも一部が透明、着色透明または半透明なものであるのが好ましい。例えば、天板３１の少なくとも一部に内部の視認性を持たせた場合には、上部ボディ１２０の背面１２１に設けられたサブディスプレイや表示ランプなどを視認することができ、携帯電話機１００の着信等を視覚的に確認することができる。
【００３９】
また、下部ケース２と、上部ケース３とは、そのほぼ全体が透明、着色透明または半透明なものであるのがより好ましい。これにより、上記効果に加え、防水ケース１の美観の向上も図れる。
【００４０】
また、下部ケース２および上部ケース３は、携帯電話機１００の上部ボディ１２０から突出するように設置されたアンテナ１４０が収納できるような形状（大きさ）になっている。さらに、本実施形態では、下部ケース２および上部ケース３は、図２中の点線で示すようにアンテナ１４０が下部ボディ１１０に設置されたタイプの携帯電話機１００でもこれを収納することができるような形状（大きさ）になっている。なお、本発明では、アンテナ１４０の設置個所がいずれかのタイプの携帯電話機のみを収納可能であるようなものであってもよい。
【００４１】
図１に示すように、下部ケース２には、下部ボディ１１０を保持する下部ケース側保持手段５が設けられている。下部ケース側保持手段５は、周壁部２２の長い方の２つの辺の内側にそれぞれ設置されている。この２つの下部ケース側保持手段５は、その構成が互いに同様であるため、代表して一方の下部ケース側保持手段５について説明する。
【００４２】
下部ケース側保持手段５は、周壁部２２の長い方の辺の内壁中央部から突出形成された２つの板片５１および５２で構成されている。板片５１の付け根付近（湾曲部５１１）は、図３中左方向へ湾曲しており、板片５１は、そこから図３中左方向に直線的に延びるように形成されている（直線部５１２）。また、板片５２の付け根付近（湾曲部５２１）は、図３中右方向へ湾曲しており、板片５２は、そこから図３中右方向に直線的に延びるように形成されている（直線部５２２）。
【００４３】
図１に示すように、板片５１の直線部５１２と、板片５２の直線部５２２との上縁部には、内側に向かって突出する係合部（ツメ）５３がそれぞれ形成されている。
【００４４】
下部ケース２に下部ボディ１１０を収納する際には、双方の下部ケース側保持手段５を両側に押し広げるようにして、それらの間に下部ボディ１１０を挿入する。この収納状態では、図３に示すように、双方の下部ケース側保持手段５の直線部５１２、５２２がそれぞれ下部ボディ１１０の側部（側面）に接触し、双方の係合部５３がそれぞれ下部ボディ１１０の側部の縁部（角部）に係合する。これにより、下部ケース２に下部ボディ１１０が保持される。
【００４５】
この状態では、弾性変形した湾曲部５１１、５２１の復元力によって直線部５１２、５２２が下部ボディ１１０に圧接された状態になり、下部ボディ１１０に係合部５３が密着して安定的に保持される。すなわち、湾曲部５１１、５２１は、係合部５３を内側へ向けて付勢する付勢手段として機能する。
【００４６】
また、このような下部ケース側保持手段５では、双方の下部ケース側保持手段５の間の寸法が湾曲部５１１、５２１の変形度合いによって可変である。よって、下部ボディ１１０の寸法（幅）の違いに対応して下部ボディ１１０を保持することができる。よって、防水ケース１は、大きさが異なる各機種の携帯電話機１００のいずれに対しても使用することができ、汎用性が高い。
【００４７】
本実施形態では、下部ケース側保持手段５は、下部ボディ１１０を固定的に保持するものであるが、本発明では、下部ケース側保持手段５は、下部ケース２に対し下部ボディ１１０をある程度移動可能に（例えば図２中の左右方向または上下方向の移動可能に）保持するものでもよい。
【００４８】
また、本実施形態では、下部ケース側保持手段５は、下部ケース２と一体的に形成されたものであるが、別部材で構成されたものであってもよく、例えば、下部ボディ１１０の縁部に係合するツメ部材（係合部）と、これを内側に向けて付勢するコイルバネ（付勢手段）とを有するようなものでもよい。
【００４９】
上部ケース３には、上部ボディ１２０を保持する上部ケース側保持手段として、上部ボディ１２０の正面１２２に係止する係止部６が設けられている。図１に示すように、係止部６は、ヒンジ構造部４と反対側に位置する周壁３２の２つの角部にそれぞれ設けられており、薄板状をなしている。この係止部６は、上部ケース３と一体的に形成されており、可撓性を有している。
【００５０】
図２に示すように、上部ケース３に上部ボディ１２０を収納した状態では、係止部６が上部ボディ１２０の正面１２２の一部に係止（当接）する。これにより、上部ケース３は、上部ボディ１２０を保持する。
【００５１】
上部ケース３に上部ボディ１２０を収納する際には、係止部６を変形させることにより、容易に係止部６の内側に上部ボディ１２０を挿入することができる。
【００５２】
このような薄板状の係止部６は、上部ボディ１２０の寸法（幅、厚さ）によらずに上部ボディ１２０を保持することができる。よって、防水ケース１は、大きさが異なる各機種の携帯電話機１００のいずれに対しても使用することができ、汎用性が高い。
【００５３】
本発明の防水ケース１では、下部ケース側保持手段５が下部ボディ１１０を保持し、上部ケース側保持手段６が上部ボディ１２０を保持することにより、下部ケース２と上部ケース３とを回動させると、これに伴って下部ボディ１１０と上部ボディ１２０とが回動する。すなわち、下部ケース２と上部ケース３とを開閉するのに伴って、携帯電話機１００が開閉する。これにより、携帯電話機１００を開いて使用しようとする際、防水ケース１を開いた後にさらに携帯電話機１００を開くような動作をする必要がなく、非常に便利である。
【００５４】
防水ケース１とともに携帯電話機１００が開く際には、防水ケース１のヒンジ構造部４と、携帯電話機１００のヒンジ構造部１３０との位置が異なることにより、上部ボディ１２０が上部ケース３に対しその長手方向に（ヒンジ構造部４側に向かって）スライドする。防水ケース１では、係止部６が上部ボディ１２０の正面１２２に単に当接しているだけであることから、このときの上部ボディ１２０の上部ケース３に対する移動を自由に許容する。これにより、携帯電話機１００を収納した状態での防水ケース１の開閉を円滑に行うことができる。なお、係止部６は、防水ケース１および携帯電話機１を開いた状態でも上部ボディ１２０の正面１２２に係止するように、余裕を持った長さで形成されている。
【００５５】
図１に示すように、下部ケース２の周壁部２２の縁部（周壁部３２に対する接合部）には、防水手段として、弾性材料で構成されたシール部材（パッキン）７が設置されている。図２に示すように、防水ケース１を閉じた状態では、このシール部材７により、周壁部２２と周壁部３２との接合部が液密に封止され、内部に収納した携帯電話機１００を確実に防水することができる。
【００５６】
シール部材７を構成する弾性材料としては、特に限定されないが、例えば、天然ゴム、またはイソプレンゴム、シリコーンゴム、ブチルゴム、ウレタンゴム、スチレン−ブタジエンゴム、フッ素ゴム、アクリルゴム等の各種合成ゴム、ポリアミド系、ポリエステル系、ポリウレタン系等の各種熱可塑性エラストマー等が挙げられる。
【００５７】
なお、シール部材７は、図示と異なり、上部ケース３側に設けられていても良く、また、下部ケース２側と上部ケース３側との両方に設けられていても良い。
【００５８】
また、下部ケース２と上部ケース３との接合部を封止するシール部としては、シール部材７のように下部ケース２（または上部ケース３）と別部材で構成されたものに限らない。下部ケース２（または上部ケース３）が前記各種エラストマーのような比較的弾力性に富む材料で構成されているような場合には、このシール部を下部ケース２（または上部ケース３）と一体的に形成してもよい。
【００５９】
下部ケース２と上部ケース３とは、固定手段８により、閉じた状態で固定することができる。図２に示すように、固定手段８は、下部ケース２のヒンジ構造部４と反対側の位置に一体的に形成されたフック（ツメ部）８１と、上部ケース３に形成され、フック８１の先端部が挿入可能な凹部８２とで構成されている。防水ケース１を開く際には、フック８１を図２中の左方向へ変形させることにより、固定手段８の固定を解除する。
【００６０】
本実施形態では、固定手段８は、下部ケース２と上部ケース３とに一体的に形成されているが、このような構成に限らず、別部材で構成されているものでもよい。また、リンク機構などを利用するようなものでもよい。
【００６１】
このような防水ケース１によれば、折りたたみ型の携帯電話機１を防水することができる。よって、風呂、海、川、プール、雨天時など、水に濡れるおそれがある環境に携帯電話機１を持ち込んだ際に、携帯電話機１が故障するのを有効に防止することができる。
【００６２】
また、防水ケース１は、前述したように一定の形状を有するハードケース型のものであるため、衝撃吸収性が高く、防水ケース１を落下させた際などの衝撃から、携帯電話機１００を有効に保護することができる。また、耐久性にも優れ、経年による劣化、破損、防水性能の低下等を生じにくい。
【００６３】
また、本発明では、前述したように、防水ケース１を開けるのに伴って携帯電話機１００が開くので、携帯電話機１００に着信があった際には、水場から一時離れた後に防水ケース１を開くことにより、迅速に着信に応答することができる。
【００６４】
なお、防水ケース１は、図２に示す状態で水に浮かぶよう構成されているのが好ましい。これにより、誤って水中に落とした場合に、容易に回収することができる。
【００６５】
また、防水ケース１には、ストラップ（吊ひも）を接続する孔（図示せず）が設けられているのが好ましい。防水ケース１にストラップを取り付けることにより、ストラップで防水ケースを首などから吊り下げることができ、そのまま海、プールなどに入ることもできる。
【００６６】
また、防水ケース１には、ズボンのベルトを通して腰に固定可能なベルト挿通部が設けられていてもよい。
【００６７】
さて、一般に携帯電話機の防水ケースでは、携帯電話機が密閉されてしまうことにより、着信音やバイブレータの振動が外部に伝わりづらく、着信したことが分かりにくい場合がある。これに対し、本実施形態の防水ケース１では、次に述べるような構成を有していることにより、携帯電話機１００が着信したのを外部に分かり易く知らせることができる。以下、この構成について説明する。
【００６８】
図２に示すように、下部ケース２の内部には、携帯電話機１００の下部ボディ１１０の底面１１１に当接してこれを支持する板片（振動伝達手段）２３および２４が設置されている。この板片２３および２４は、下部ケース２と一体的に形成されているのが好ましい。
【００６９】
板片２３は、底板２１の中央部から図２中の左方向へ延びるように突出形成されており、板片２４は、底板２１の中央部から図２中の右方向へ延びるように突出形成されている。
【００７０】
携帯電話機１００のバイブレータが作動すると、その振動は、板片２３および２４により、底板２１に伝達され、底板２１がその厚さ方向に振動する。このようにして、防水ケース１の外壁の一部である底板２１（振動部）が振動することにより、携帯電話機１００のバイブレータが作動しているのを分かり易く知らせることができる。
【００７１】
特に、図示の構成では、板片２３、２４の底板２１への付け根部が共に底板２１の中央部に位置しているので、携帯電話機１００のバイブレータの振動が底板２１の中央部に集中して伝達され、底板２１をより大きい振幅で振動させることができる。
【００７２】
また、底板２１は、下部ケース２の他の部位より薄肉になっている。これにより、底板２１がより振動し易く、携帯電話機１００のバイブレータが作動しているのをより分かり易く知らせることができる。
【００７３】
また、底板２１が薄肉になっていることにより、携帯電話機１００の着信音が外部に伝達し易くなり、携帯電話機１００の着信音が外側からより聞き取り易くなるという利点もある。よって、携帯電話機１００がバイブモードになっていない場合であっても、携帯電話機１００の着信が分かり易い。
【００７４】
また、底板２１が振動すると、この底板２１が音源となって音を発生する。すなわち、底板２１は、携帯電話機１００のバイブレータの振動により音を発生する音発生手段としても機能する。これにより、底板２１が発生する音によっても、携帯電話機１００の着信を分かり易く知らせることができる。
【００７５】
さらに、底板２１の外面は、凹面２１１になっており、これにより、底板２１が発生した音が凹面２１１で反響（共鳴）し、この音をより聞き取り易くすることができる。すなわち、凹面２１１は、底板２１が発生した音を反響（共鳴）させる反響手段として機能する。
なお、底板２１のような振動部は、上部ケース３に設けられていてもよい。
【００７６】
さらに、本実施形態の防水ケース１では、天板３１の内側に、携帯電話機１００のバイブレータの振動により音を発生する音発生手段として、音発生部材９が設置されている。図２に示すように、音発生部材９は、金属材料で構成された板状の部材であり、その中央部には、孔９１が形成されている。孔９１には、天板３１の内面から突出形成された突起が挿入し、その突起の先端には、孔９１の内径より外径が大きい球状をなす係止部３１１が形成されている。これにより、音発生部材９は、天板３１に対し揺動可能に設置されている。
【００７７】
携帯電話機１００のバイブレータが作動すると、音発生部材９は、その振動により揺動し、天板３１の内面に繰り返し衝突して、音（衝突音）を発生する。この音により、携帯電話機１００が着信したのを分かり易く知らせることができる。
【００７８】
なお、音発生部材９は、振動（往復）可能に設置されているようなものであってもよい。また、下部ケース２または上部ケース３の外側に設置されていてもよい。また、音発生部材９の設置部位の外面、すなわち、天板３１の外面が凹面になっていてもよい。これにより、前記凹面２１１と同様に、音発生部材９の音を反響させることができる。
【００７９】
また、防水ケース１を例えば机の上のような平面上に載置したときに接地する接地部２５（下部ケース２の底部）は、通常はガタ付くことなく安定的に載置することができるよう同一平面上に位置するよう形成されるが、本実施形態では、接地部２５の一部は、接地部２５の他の部分と敢えて同一平面上に位置しないよう構成されている。これにより、防水ケース１は、例えば机の上に載置したときに僅かな範囲で揺動可能になっており、携帯電話機１００のバイブレータが作動すると、揺動する。この揺動により、机の面と接地部２５とがカタカタと音をたてて、携帯電話機１００の着信をより分かり易く知らせることができる。
【００８０】
以上、本発明の携帯電話機用防水ケースを図示の実施形態について説明したが、本発明は、これに限定されるものではなく、携帯電話機用防水ケースを構成する各部は、同様の機能を発揮し得る任意の構成のものと置換することができる。また、任意の構成物が付加されていてもよい。
【００８１】
また、携帯電話機のバイブレータの振動により音を発生する音発生手段は、無くてもよい。
【００８２】
【発明の効果】
以上述べたように、本発明によれば、折りたたみ型の携帯電話機を防水することができ、携帯電話機を水に濡れるおそれがある環境に持ち込むことができる。
【００８３】
また、ハードケース型のケースであることから、収納した携帯電話機を衝撃等から有効に保護することができるとともに、耐久性に優れ、経年による劣化、防水性能の低下等が少ない。
【００８４】
また、防水ケースを開けるのに伴って携帯電話機が開くので、操作性もよい。
【図面の簡単な説明】
【図１】本発明の携帯電話機用防水ケースの実施形態（開いた状態）を示す斜視図である。
【図２】図１に示す携帯電話機用防水ケースの断面側面図（携帯電話機を収納して閉じた状態）である。
【図３】図２中の矢印ＩＩＩ方向から見た透視図である。
【符号の説明】
１　　　　　　携帯電話機用防水ケース
２　　　　　　下部ケース
２１　　　　　底板
２１１　　　　凹面
２２　　　　　周壁部
２３、２４　　板片
２５　　　　　接地部
３　　　　　　上部ケース
３１　　　　　天板
３１１　　　　係止部
３２　　　　　周壁部
４　　　　　　ヒンジ構造部
５　　　　　　下部ケース側保持手段
５１　　　　　板片
５１１　　　　湾曲部
５１２　　　　直線部
５２　　　　　板片
５２１　　　　湾曲部
５２２　　　　直線部
５３　　　　　係合部
６　　　　　　係止部（上部ケース側保持手段）
７　　　　　　シール部材
８　　　　　　固定手段
８１　　　　　フック
８２　　　　　凹部
９　　　　　　音発生部材
９１　　　　　孔
１００　　　　携帯電話機
１１０　　　　下部ボディ
１１１　　　　底面
１２０　　　　上部ボディ
１２１　　　　背面
１２２　　　　正面
１３０　　　　ヒンジ構造部
１４０　　　　アンテナ
【図１】
2004016360.tif 000003
【図２】
2004016360.tif 000004
【図３】
2004016360.tif 000005